(57)【要約】      （修正有）【課題】各システムの障害通報を、より確実に行えるシステムを提供する。【解決手段】システムは、受信信号を監視するように構成される。受信信号に関する障害状態の検出に応答して、システムは、検出された障害状態の発生を示すように障害状態インジケータをセットする。システムは、少なくとも所定期間、障害状態インジケータの状態をセットし、検出された障害状態の発生を示す。少なくとも所定期間、検出された障害状態の発生を示すように障害状態インジケータをセットした後、システムは、再び、信号の健全性を監視する。所定期間の後、監視された信号に関する障害がもはや存在しないことの検出に応答して、システムは、障害状態が存在しないことを示すように障害状態インジケータを変更する。【選択図】図３
2012239170.tif 000002
【特許請求の範囲】
【請求項１】
受け取った信号を監視し、
前記受け取った信号に関連する障害状態の検出に応答して、検出された障害状態を示すように障害状態インジケータをセットし、
少なくとも所定期間、障害状態インジケータの状態をセットし、検出された障害状態の発生を示し、
少なくとも所定期間、前記検出された障害状態の発生を示すように障害状態インジケータをセットした後に、前記受け取った信号に関連する障害がもはや存在しないことを検出したことに応答して、障害状態が存在しないことを示すように障害状態インジケータを変更する、方法。
【請求項２】
前記所定期間は、タウの４倍よりも大きく、ここで、タウは、前記障害状態インジケータが通過するローパスフィルターの時定数である、請求項１に記載の方法。
【請求項３】
方法はさらに、
出力信号を発生し、
前記受け取った信号の大きさに基づき出力信号の大きさを変更し、
前記出力信号をローパスフィルターを介してダウンストリームのリソースへ伝送し、
前記障害状態インジケータが少なくとも所定期間について検出された障害状態を示す時間の間、前記出力信号の大きさを障害バンド内にあるようにセットする、請求項１に記載の方法。
【請求項４】
前記出力信号の大きさのセットはさらに、
ローパスフィルターの時定数よりも少なくとも４倍の長さの期間、前記出力信号の大きさを障害バンド内になるようにセットし、ダウンストリームのリソースに検出された障害状態を通知する、請求項３に記載の方法。
【請求項５】
方法はさらに、
前記受け取った信号をローパスフィルター回路に入力し、ローパスフィルター回路の出力は、前記受け取った信号のローパスフィルター処理されたバージョンをダウンストリームのリソースに出力するように構成され、
ローパスフィルター回路に入力された信号の大きさを、少なくとも所定期間、障害電圧範囲内になるように変更し、ダウンストリームのリソースへの検出された障害状態の通知を保証にする、請求項１に記載の方法。
【請求項６】
センサ装置は、前記受け取った信号を発生し、前記障害電圧範囲は、センサ装置によって出力される公称電圧範囲外である、請求項５に記載の方法。
【請求項７】
検出された障害状態を示すための障害状態インジケータのセットは、
時間を追跡するようにタイマーを活性化し、
前記タイマーにより追跡された時間に基づき少なくとも所定期間について検出された障害を示すために障害状態インジケータの状態を維持することを含む、請求項１に記載の方法。
【請求項８】
前記受け取った信号を監視することはさらに、
前記受け取った信号を検証するために１組のルールを適用し、
前記受け取った信号が前記１組のルールの少なくとも１つを違反したことの検出に応答して障害状態の通知を提供することを含む、請求項１に記載の方法。
【請求項９】
方法はさらに、
前記受け取った信号に基づき、ローパスフィルターへ伝送するための出力信号を生成し、
障害状態が存在しない場合に、前記出力信号の大きさを、前記受け取った信号の大きさに実質的に等しくなるようにセットし、前記受け取った信号の大きさは、前記受け取った信号を生成するセンサ装置により検出された環境状態に依存して変化し、
少なくとも所定期間、前記出力信号の大きさを、前記受け取った信号の大きさと実質的に異なるように調整することを含む、請求項１に記載の方法。
【請求項１０】
方法はさらに、
たとえ前記受け取った信号に関連する障害状態が前記所定期間の満了前に終了したとしても、少なくとも所定期間、前記出力信号の大きさを、前記受け取った信号の大きさと実質的に異なるように調整する、請求項９に記載の方法。
【請求項１１】
信号を受け取り、当該受け取った信号の大きさが前記受け取った信号を生成するセンサ装置により検出された環境状態に依存して変化し、
前記受け取った信号を処理して出力信号を生成し、
前記出力信号を遠隔のリソースに伝え、当該遠隔のリソースにセンサ装置により検出された環境状態を通知し、
前記受け取った信号に関連する障害状態の発生の検出に応答して、伝送される出力信号の大きさを、前記受け取った信号と実質的に異なるように変更し、遠隔のリソースに障害状態を通知する、方法。
【請求項１２】
前記出力信号の伝送は、
障害状態の発生よりも前の第１の持続期間において、
前記出力信号の大きさを、前記受け取った信号の大きさに実質的に等しくなるようにセットし、
前記出力信号を遠隔のリソースに伝送し、前記遠隔のリソースにセンサ装置により検出された環境状態を通知し、
前記出力信号の大きさを変更することは、
第２の持続期間において、障害状態の検出に応答して、
前記出力信号の大きさを、前記受け取った信号の大きさと実質的に異なる値にセットすることを含む、請求項１１に記載の方法。
【請求項１３】
前記出力信号の大きさを変更することは、しきい値の時間値よりも長い間、前記出力信号の大きさをセットして、遠隔のリソースによる障害状態の検出を可能にすることを含む、請求項１１に記載の方法。
【請求項１４】
前記出力信号の大きさを変更することは、最小の時間期間の値よりも長い間でありかつ少なくとも障害状態が存続する間、前記出力信号の大きさを調整することを含む、請求項１１に記載の方法。
【請求項１５】
伝送される出力信号の大きさを障害状態を示すレベルに変更することの次に、
制御システムにおいて障害状態がもはや存在しないことが検出されたことに応答して、伝送される出力信号の大きさを前記受け取った信号に実質的に等しくなるようにセットすることを含む、請求項１１に記載の方法。
【請求項１６】
前記出力信号の大きさを変更することは、伝送される出力信号の大きさを、傷害状態の発生の期間よりも長い期間、前記受け取った信号の大きさと実質的に異なるように調整することを含む、請求項１１に記載の方法。
【請求項１７】
コンピュータが読み出し可能な蓄積ハードウエアは、そこに蓄積される命令を有しており、当該命令は、プロセッサ装置により実行されるとき、プロセッサ装置に次の動作を実行させるハードウエアであって、
受け取った信号を監視し、
前記受け取った信号に関連する障害状態の検出に応答して、検出された障害状態を示すために障害状態インジケータをセットし、
少なくとも所定期間、障害状態インジケータの状態をセットして、検出された障害状態の発生を示し、
検出された障害状態の発生を示すべく所定期間についての障害状態インジケータのセットの次に、
監視された信号に関する障害がもはや存在しないことの検出に応答して、障害状態インジケータを変更し、障害状態が存在しないことを示す、ハードウエア。
【請求項１８】
プロセッサ回路と、
プロセッサ装置により実行されるアプリケーションに関する命令を蓄積する蓄積ユニットと、
プロセッサと蓄積ユニットを結合する相互接続であって、プロセッサ回路は、アプリケーションを実行し、次の動作を実施するように構成され、
受け取った信号を監視し、
前記受け取った信号に関連する障害状態の検出に応答して、検出された障害状態を示すように障害状態インジケータをセットし、
少なくとも所定期間、障害状態インジケータの状態をセットし、検出された障害状態の発生を示すようにし、
検出された障害状態の発生を示すように少なくとも所定期間、障害状態インジケータをセットした後、
監視される信号に関連する障害がもはや存在しないことの検出に応答して、障害状態が存在しないことを示すように障害状態インジケータを変更する、システム。
【請求項１９】
受け取った信号を監視するための障害検出回路と、
ラッチ回路とを有し、
前記ラッチ回路は、
前記障害検出回路により検出された前記受け取った信号に関連する障害状態を示すように障害状態インジケータをセットすること、
障害状態の発生を示すように、少なくとも所定期間、障害状態インジケータの状態をセットすること、
検出された障害状態の発生を示すように少なくとも所定期間、障害状態インジケータをセットした後に、
監視される信号に関する障害がもはや存在しないことの検出に応答して、障害状態が存在しないことを示すように障害状態インジケータを変更することを含む、システム。
【請求項２０】
システムはさらに、
出力信号を発生する出力信号発生器であって、当該出力信号発生器は、障害状態の前に、前記受け取った信号の大きさを実質的にトラックするように前記出力信号の大きさを変更し、
障害状態インジケータが前記検出された障害状態を示すとき、前記出力信号発生器は、少なくとも所定の期間、前記出力信号の大きさを障害バンド内になるようにセットする、請求項２０に記載のシステム。
【請求項２１】
障害状態インジケータが障害状態を示すとき、前記出力信号発生器は、前記所定期間の部分において、前記出力信号の大きさを前記受け取った信号と実質的に異なるように調整する、請求項２０に記載のシステム。
【発明の詳細な説明】
【背景技術】
【０００１】
従来のセンサ装置は、環境状態を測定するためにしばしば利用される。センサ装置により発生された信号情報を介して、環境状態を電気的に監視することが可能になり、１つもしくはそれ以上の機能を実行し、または実行を控えることが可能になる。
【０００２】
従来のある種のセンサ装置は、圧力トランスデューサーである。典型的に、圧力トランスデューサーは、センサ装置により検出された現在の圧力状態に依存して、動作範囲内で変化する電圧のような出力信号を生成する。もし、監視領域内の検出された圧力が比較的高ければ、圧力トランスデューサーは、比較的高い圧力を示す出力信号を生成する。もし、センサ装置により検出された現在の圧力が監視領域内で比較的低ければ、圧力トランスデューサーは、比較的低い圧力を示すように出力信号を調整する。
【０００３】
あるケースでは、圧力トランスデューサーにより生成された出力信号の大きさは、検出された圧力の対応するレベルに依存して比例的に変化する（例えば、振幅調整、周波数調整等によって）。従って、従来の監視システムは、単にセンサ装置により生成された出力信号を対応する圧力値に変換することで、監視領域内の現在の圧力状態を決定することができる。
【発明の概要】
【発明が解決しようとする課題】
【０００４】
トランスデューサーは、故障(failure)に対して敏感である。故障は、種々のファクターによって引き起こされ、間違った出力信号（すなわち、予想される伝達関数に一致しない信号）を生成し得る。可能性があり適切であるとき、センサは、故障を検出し、報告するように設計される。しばしば、出力信号の範囲は、いわゆる障害帯域（fault band）を報告する障害として表される。
【０００５】
アナログ電圧出力を生成するトランスデューサーは、しばしば、受信“システム”ローパスフィルターにインターフェースされる。この“システム”ローパスフィルターは、主に、信号のサンプリングの前にセンサ出力信号のノイズを減少させるために使用されるが、アプリケーションに対してきわめて重要な信号変化の可観測性を維持するために十分な応答帯域を提供するものでなければならない。
【０００６】
従来技術は、迷惑な障害報告（例えば、デグリッチ回路）を避けることを開示してきたが、ある障害の徴候に関して、後にローパスフィルター処理を有する、範囲内の間違った信号を生成し得る方法で障害が報告され得る。具体的には、“有効とされる障害”としてデグリッチ回路を満足させるような長く十分に存続するが、図１に示すような、受信システムローパスフィルターの応答に比較して非常に短い期間で存続する繰り返しの多い障害である。換言すれば、繰り返して報告される故障状態の間、出力信号の大きさは、現在の環境状態または実際の報告された障害の状態を正確に反映していないかもしれない。繰り返し報告される故障の間の出力信号のサンプリングは、もし、システムが間違った測定データが有効であると想定したならば、不所望なまたは深刻な結果をもたらすことになり得る。
【０００７】
図１に示す例において、各トランスデューサーの出力がＶpwr（センサに供給される電力の電圧）の０倍ないし１．０倍の間であるものとする。さらに、例示のセンサは、出力１１０が０．９６＊Ｖpwrを越えたとき、エラー状態を示すように構成されるものとする。従って、おおよそセンサの動作範囲が０ないし０．９６＊Vpwrの間は、正確に作動するセンサ装置を示す。０．９６＊ＶpwrとＶpwrの間の値（例えば、最小の障害しきい値１２０）の発生は、センサに関する故障または障害を示す。
【０００８】
図１に示す例では、センサは、断続的に故障する。すなわち、時間が経てば、センサは、
時間Ｔ０とＴ１の間、時間Ｔ２とＴ３の間などのように、監視された環境の代表的な正確な電圧出力（例えば、入力１０５）を生成する。しかしながら、故障によっては、センサは、時間Ｔ１とＴ２、時間Ｔ３とＴ４の間などのように、間違った出力値（例えば、ローパスフィルターへの入力１１０）を生成する。図１からも分かるように、特定のローパスフィルターの振る舞いと組み合わされる信号（１０５）は、図１に示すように、約０．２２＊Ｖpwrの鋸歯形状の出力電圧値を生む間違った値（１１０）を生成する。すなわち、障害信号、あるいは０．１＊Ｖpwrの値（これは、監視されている環境を正確に反映するものである）を生成する代わりに、ローパスフィルターの出力１１０は、エラーの状態の間に、約０．２２＊Ｖpwrの値あたりで変動する値を生成する。ローパスフィルターの出力１１０は、決して０．９６＊Ｖpwrよりも高くならないので、ローパスフィルターの出力を受け取るシステムは、時間Ｔ１とＴ２の間、時間Ｔ３とＴ４の間のなどでトランスデューサーの断続的な故障を汲み取ることができないであろう。ローパスフィルターの出力を受け取るシステムは、従って、誤ったデータで動作し得る。すなわち、システムは、センサの電圧を約０．２＊Ｖpwrであるかの如く検出し、サンプルされたときにエラー状態を検出しないかもしれない。
【０００９】
図２は、トランスデューサーの断続的な故障が、ローパスフィルターの出力を監視するダウンストリーム（下流）のリソースにより検出されない場合の動作状態の範囲を、対数スケールの時間で例示した図である。図に示されるように、断続的な故障の持続期間が１１ミリ秒よりも低いとき、ローパスフィルターを監視するダウンストリームのリソースは、ローパスフィルターの出力が０．０＊Ｖpwrと０．９６＊Ｖpwrの間の動作範囲内に滞在するので、エラーを把握しない。すなわち、たとえエラーがあったとしても、ローパスフィルターの誤った出力は、ローパスフィルターの出力をサンプリングするシステムに対し正確な信号であるように見えてしまう。
【課題を解決するための手段】
【００１０】
本実施例は、信号を処理する従来のシステムから離れるものである。例えば、従来のシステムと比較して、ある実施例では、各システムが障害状態を通知されることをより高い可能性で提供するように仕向けられる。
【００１１】
例えば、ある実施例は、受信信号（受け取った信号）を監視するように構成されたシステムを含む。受信信号に関する障害状態の検出に応答して、システムは、検出された障害状態の発生を示すように障害状態インジケータをセットする。システムは、少なくとも所定期間、障害状態インジケータの状態をセットまたはラッチし、検出された障害状態の発生を示す。検出された障害状態の発生を示すために少なくとも所定期間、障害状態インジケータをセットした後に、システムは、再度、信号の健全性（integrity）を監視する。ある実施例では、所定期間の後、監視される信号に関する障害がもはや存在しないことの検出に応答して、システムは、障害状態が存在しないことを示すため、障害状態インジケータを変更する。
【００１２】
さらなる実施例では、上記した所定期間は、受信信号がダウンストリームのリソースへ通過されるローパスフィルターの時定数、タウ（Ｔａｕ）に基づく。ある実施例では、所定期間の時間は、時定数タウの４倍以上である。より具体的な実施例では、障害状態（一旦、有効であると確認される）をラッチするための最小持続期間は、４．６＊タウであり、ここで、タウは、センサ信号がダウンストリームの装置に通過するローパスフィルターの時定数である。
【００１３】
さらなる実施例では、最小持続期間は、多くのパラメータ（例えば、システムのサンプリングの周期性、出力信号の範囲の許容差など）に依存する。障害状態をラッチする最小の持続期間は、ダウンストリーム装置が有効な障害信号を検出することを保証するように選択される。
【００１４】
本実施例のシステムは、出力信号発生器を含むことができる。出力信号発生器は、受信信号および障害状態に基づき出力信号を発生する。例えば、出力信号発生器は、受け取った信号に基づき出力信号の大きさを変化させまたは調整する。例えば、出力信号発生器は、出力信号をローパスフィルターを介してダウンストリーム（下流）のリソースに伝送または転送する。障害状態インジケータが少なくとも所定期間について検出された障害状態を示すときの間に、出力信号発生器は、出力信号の大きさを障害バンド（例えば、電圧範囲）内になるようににセットする。出力信号発生器は、ローパスフィルターの入力を少なくとも所定期間、障害バンドにセットするため、ダウンストリームのリソースは、障害状態を確実に知らされる。ある実施例では、ダウンストリームのリソースは、エラー状態の発生を検出するために、高い十分なレートで出力信号をサンプリングする。
【００１５】
さらなる実施例では、出力信号の大きさの設定は、ローパスフィルターの時定数よりも少なくとも４倍長い間、出力信号の大きさを障害バンド内になるように設定することを含み、検出された障害状態をダウンストリームのリソースに通知する。
【００１６】
さらなる実施例では、上記したように、システムは、受信信号（または、トランスデューサーのようなソースからの受信信号の処理された態様）をローパスフィルター回路に入力することが可能である。ローパスフィルター回路の出力は、ローパスフィルター処理されたバージョンの信号をダウンストリームのリソースへ出力するように構成されることができる。また、上記したように、システムは、ローパスフィルター回路に入力される信号の大きさを、少なくとも所定期間、障害電圧範囲内になるように変更し、検出された障害状態のダウンストリームのリソースへの通知を保証する。換言すれば、たとえセンサの出力電圧の実際のエラーが所定期間よりも短く発生したとしても、システムは、ローパスフィルターに入力される信号の大きさを少なくとも所定期間について障害レンジ内になるように変更し、その結果、ローパスフィルターの出力の大きさは、障害状態が発生したことを少なくとも一時的に示す。
【００１７】
ある実施例では、上記したように、センサ装置は、システムにより受け取られる信号を発生することができる。障害電圧レンジは、センサ装置によって出力される名目上または公称の電圧範囲外となるように構成され得る。
【００１８】
他の実施例では、検出された障害状態を示すための障害状態インジケータの設定は、時間を追跡し続けるようなタイマーを活性化することを含む。システムは、タイマーにより追跡された時間に基づき少なくとも所定期間について検出された障害を示すように障害状態インジケータの状態を維持する。
【００１９】
システムは、障害状態が発生したか否かを決定するための１組のルール（規則）を適用する障害検出回路を含むことができる。ある実施例では、システムは、１組のルールを適用し、受信信号の健全性を検証する。他の実施例は、受信信号に関する健全性のレベルを示すことができる他の信号の属性を監視することを含むことができる。その後、信号検証が障害状態があることを示すことに失敗したと仮定し、システムは、ダウンストリームのリソースへの障害状態の通知を提供する。
【００２０】
さらなる実施例では、システムは、障害状態が存在しない場合に、出力信号の大きさを受信信号の大きさに実質的に等しくなるように設定することによって、ローパスフィルターに入力される信号を生成する。上記したように、受信信号の大きさは、受信信号を生成するセンサ装置によって検出される環境状態に依存して変化し得る。障害状態の間、システムは、出力信号の大きさを、少なくとも所定期間、受信信号の大きさと実質的に異なるように調整し、フィルターを介してのダウンストリームのリソースへの障害状態の通知を確実にする。
【００２１】
さらなる実施例では、たとえ受信信号に関連する障害状態が所定期間の満了前に終了したとしても、システムは、所定期間の少なくとも一部の間、出力信号の大きさを受信信号の大きさと実質的に異なるように調整する。換言すれば、所定期間の間、または障害状態のラッチの間、障害状態は、もはや存在しないかもしれない。そのような時間で、たとえ受信信号が再び正確であるとしても、システムは、ローパスフィルターに入力される出力信号の大きさを障害レンジ内にセットすることを継続する。こうして、受信信号は、ある大きさであり、他方、システムにより生成された出力信号は、異なる大きさ（すなわち、障害バンド内）である。
【００２２】
要約すると、本実施例は、ローパスフィルターを実行するシステムにおいて信号の間違った解釈を避ける。例えば、センサ障害信号は、少なくとも所定の期間、ラッチされ、ローパスフィルターの出力を監視するダウンストリームのシステムが障害状態を検出することを保証する。
【００２３】
これらのおよび他の実施例の変更は、以下により詳細の説明される。
【００２４】
上記したように、本実施例は、ここに開示されるいずれのまたはすべての方法、動作を実行したり、サポートするため、１つもしくはそれ以上のコンピュータ化された装置、ハードウエアプロセッサ装置、またはその他の構成を含むことができる。換言すれば、１つもしくはそれ以上のコンピュータ化された装置、プロセッサ、ディジタルシグナルプロセッサ等は、ここに説明されるような種々の実施例を実行したり、動作したりするように構成され、および／またはプログラムされることができる。
【００２５】
他の実施例は、上記に要約されかつ以下に詳細に開示されるステップおよび動作を実行するためのソフトウエアプログラムを含む。このような実施例は、そこに符号化されるコンピュータプログラムロジック、命令などを含むコンピュータ読出し可能なハードウエアの蓄積リソースを含み、プロセッサおよび対応するメモリを有するコンピュータ化された装置において実行されたとき、プログラムは、プロセッサがここに開示されるいずれの動作を実行することを可能にする。このような構成は、光学媒体（例えば、ＣＤ−ＲＯＭ）、フロッピー(登録商標)、ハードディスクまたは１つまたはそれ以上のＲＯＭ、ＲＡＭ、ＰＲＯＭチップ、またはアプリケーション特定集積回路（ＡＳＩＣ）のファームウエアやマイクロコードのような他の媒体に、符号化されまたは配置されたソフトウエア、ファームウエア、コード、および／または他のデータ（例えば、データ構造）として提供される。ソフトウエア、ファームウエアまたはそのような構成は、コンピュータ化された装置にインストールされ、コンピュータ化された装置がここに説明される技術を実行することを可能にする。
【００２６】
従って、本開示のある特定の実施例は、本実施例を実行するために蓄積された命令を有するコンピュータ読出し可能なハードウエア蓄積媒体を含むコンピュータプログラム製品に向けられる。例えば、ある実施例では、命令は、各コンピュータ装置のプロセッサにより実行されたとき、プロセッサに、次ののことを行わせる：受信信号の監視；受信信号に関連する障害状態の検出に応答して検出された障害状態を示すための障害状態インジケータの設定；検出された障害状態の発生を示すように少なくとも所定期間について障害状態インジケータの状態を設定；および検出された障害状態の発生を示すために少なくとも所定期間について障害状態インジケータの設定した後に、受信信号に関連する障害がもはや存在しないことの検出に応答して、障害状態が存在しないことを示すように障害状態インジケータを変更すること。
【００２７】
他の実施例では、命令は、各コンピュータ装置のプロセッサにより実行されたとき、プロセッサに次のことを行わせる：信号を受信し、受信した信号を生成するセンサ装置により検出された環境状態に依存して受信した信号の大きさが変化する；受信した信号を処理し出力信号を生成する；出力信号を遠隔のリソースに伝え、センサ装置により検出された環境状態を遠隔のリソースに通知する；および受信信号に関連する障害状態の発生の検出に応答して、伝送される出力信号の大きさを受信信号と実質的に異なるように修正し、遠隔のリソースに障害状態を通知する。
【００２８】
ステップの順番は、明確化の目的のために追加されている。これらのステップは、いかなる適切な順番で実施可能であることに留意すべきである。
【００２９】
本開示の他の実施例は、上記の要約されたおよび以下の詳細に開示される実施例の動作およびステップの方法のいずれも実施すべく、ソフトウエアプログラム、ファームウエア、および／または各ハードウエアを含む。
【００３０】
また、ここに開示されるシステム、方法、装置、コンピュータ読出し可能な蓄積媒体の命令等は、ソフトウエアプログラム、ファームウエア、またはソフトウエアとして、厳密に具現化され得る。本実施例はまた、ソフトウエア、ファームウエア、および／またはハードウエアのハイブリッドとして具現化し得る。
【００３１】
上記したように、本技術は、信号を処理するソフトウエア、ファームウエア、および／またはハードウエアのアプリケーションにおいて、使用がより適している。しかしながら、本実施例は、そのようなアプリケーションにおける使用に限定されるものではなく、かつここに説明される技術はまた他のアプリケーションにも同様に適していることに留意すべきである。
【００３２】
さらに、種々の特徴、技術、構成等の各々が本開示の種々の場所で説明されるが、これらの概念の各々は、互いに独立して実行することが可能であり、または、互いに組み合わせて実行することが可能であることが意図されている。従って、ここに記載される１つもしくはそれ以上の本発明、実施例は、種々の方法において具現化されかつ考えることができる。
【００３３】
また、本実施例の予備的な説明は、すべての実施例、および／または本開示または請求項の発明の増加する新規な態様を特定するものではないことに留意すべきである。その代わり、この簡単な説明は、全体的な実施例、および従来技術に対する新規な点を提示する。さらなる詳細および／または本発明の可能性のある観点（置換）のため、本開示の詳細な説明の部分および対応する図面が以下に述べられる。
【図面の簡単な説明】
【００３４】
前述するおよび他の発明の目的、特徴および効果は、以下のより具体的な好ましい実施例の記載から明らかであろう。添付する種々の図面の例示において、同一部分には同様の参照符号を用いる。図面は、実施例、原理、コンセプト等の例示が示される代わりに、必ずしもスケール通りではなく強調されている。
【００３５】
【図１】従来の障害状態の発生を例示するタイミング図である。
【図２】特定の障害報告パターンとローパスフィルターにとって間違った信号を生成することが可能な障害の報告期間の範囲を例示するタイミング図の例である。
【図３】本実施例に係るシステムを例示する図である。
【図４】本実施例に係る障害バンドの例とセンサ装置の名目上の出力信号の範囲を例示する図である。
【図５】本実施例に係る信号の発生を例示する図である。
【図６】本実施例に係るコンピュータコードを実行するコンピュータアーキテクチャー、ソフトウエア、アプリケーション、ロジック等を例示する図である。
【図７】本実施例に係る受信信号の処理および出力電圧の生成の方法を例示するフローチャートである。
【図８】本実施例に係る受信信号の処理および出力電圧の生成の方法を例示するフローチャートである。
【発明を実施するための形態】
【００３６】
本実施例によれば、システムは、受け取った信号(受信信号)を監視するように構成される。受け取った信号に関する障害状態の検出に応答して、システムは、障害状態インジケータをセットし、検出された障害状態の発生を示す。システムは、検出された障害状態の発生を示すため、少なくとも所定の合計時間の間、障害状態インジケータの状態をセットする。このことは、ダウンストリームのリソースが障害の発生を検出することを保証する。検出された障害状態の発生を示すために少なくとも所定の合計時間について障害状態インジケータをセットした後、システムは、再び、信号の健全性（integrity）を監視する。所定の合計時間の後、監視された信号に関する障害がもはや存在しないことの検出に応答して、システムは、障害状態が存在しないことを示すべく障害状態インジケータを修正する。
【００３７】
図３は、本実施例によるシステム／フローチャートを例示する図である。
【００３８】
同図に示すように、信号ソース３１０は、例えば、信号３１２を発生するセンサ装置のようなものである。信号３１２は、信号ソース３１０によって発生されたいかなるタイプの信号情報を表すことができることに留意すべきである。制限されない例として、信号ソースにより生成された信号３１２の大きさ（マグニチュード）、周波数などが、信号ソース３１０により感知された環境状態のようなパラメータに依存して変化する。
【００３９】
信号３１２は、温度、圧力などのようなあらゆる適切なパラメータを表すことができることに留意すべきである。
【００４０】
動作中、信号プロセッサ１４０のブロック３２０は、信号３２２を生成するため信号３１２のグリッヂを取り除く（Deglitch）。デグリッヂは、従来より知られている適切な方法を含むことができる。
【００４１】
ブロック３２５は、信号３２２をエラーのために監視する。エラーは、信号３２２が所望の動作範囲外となるような状態であり得る。もし、エラー状態がブロック３２５によって検出されなければ、ブロック３３５によって示されるように何の動作も行われない。これに対して、信号３２２に関するエラー状態が検出されたことに応答して、ブロック３２５は、検出されたエラー状態をブロック３４０に通知する。
【００４２】
ブロック３２５からのエラー状態の発生の通知を受け取ると、ブロック３４０は、障害状態レジスタ３６５をセットする。障害状態レジスタ３６５のセットにより、障害状態インジケータ信号３６８は、検出されたエラー状態を示す。
【００４３】
また、ブロック３２５からの障害状態の発生の通知を受け取ったことに応答して、ブロック３４０は、タイマー３４５を初期化する。ブロック３５０は、タイマーが最小値Ｘに到達したときを検出するようにタイマー３４５を監視する。ブロック３５０は、エラー状態の検出から最小時間Ｘ（例えば、所定期間）が経過したとき、ブロック３５５に通知を提供する。例えば、エラー状態の検出から最小期間Ｘが経過したことが検出されたことに応答して、ブロック３５０は、ブロック３５５に状態の通知をする。
【００４４】
ブロック３５５は、繰り返し信号３２２を監視し、信号３２２に関連するエラー状態が終了したときを検出する。エラー状態がもはや存在しない（すなわち、信号ソース３１０および／または信号３２２が現在健全である）ことが検出されると、ブロック３５５は、障害状態クリア信号３６０を発生する。ブロック３５５は、障害状態レジスタ３６５のCLEAR入力に、障害状態クリア信号を伝える。障害状態クリア信号の発生により、障害状態レジスタ３６５は、障害状態インジケータ信号３６８を変更し、以前に検出された故障状態のフラグを廃止する。換言すれば、障害状態クリア信号３６０の受け取りにより、障害状態インジケータ信号３６８がエラー状態の発生のフラグを取りやめる。従って、生涯状態インジケータ回路３３０の障害状態レジスタ３６５は、障害状態の検出に応答して少なくとも最小期間Ｘの間、エラーを発生する。
【００４５】
信号処理回路３７０は、信号３２２または類似の信号を出力信号発生器３７５へ伝送する。概して、出力信号発生器３７５は、エアー状態が検出されないとき（例えば、障害状態インジケータ信号３６５がクリアされエラーなしを示すとき）、信号３２２と同一かこれと実質的に類似である出力信号３７６を生成する。しかしながら、障害状態インジケータ信号３６８がセットされたことに基づきエラー状態を示すとき、出力信号発生器３７５は、信号３７６を障害バンド内の値にセットする。ある実施例では、出力信号発生器３７５は、障害状態インジケータ信号３６８がエラー状態を示す時間期間、信号３７６を障害バンド内であるようにセットする。
【００４６】
ローパスフィルター３８０は、出力信号発生器３７５により発生された信号３７６を受け取る。ローパスフィルターは、適切な周波数によりフィルターするように構成され得る。その名前が示すように、ローパスフィルター３８０は、より高い周波数成分をフィルターするが、信号３７６のより低い周波数が信号３８６としてリソース３９０へのダウンストリームに通過することを可能にする。
【００４７】
図３に関して開示される、障害状態インジケータ回路３３０、信号プロセッサ１４０および信号処理の方法は、幾つかの他の方法により実行することができることに留意すべきである。例えば、障害状態インジケータ回路３３０は、ハードウエア回路によって実行されることが可能である。ある実施例では、ブロック３４０は、ブロック３２５により出力される「Ｙｅｓ」のパスからの入力を受け取る２つの論理バッファのような種々のハードウエアの実施により実現可能である。第１の論理バッファの出力は、障害状態レジスタ３６５のSET入力に接続される。第２の論理バッファの出力は、ブロック３４５の“INITIALIZE”入力に接続される。
【００４８】
ブロック３４５は、Ｔ型フリップフロップの直列接続のようなカウンター回路として実現可能である。ある実施例では、フリップフロップの出力値は、制限時間値に一致するＴ型フリップフロップの出力状態（例えば、最上位ビットまたはキャリー回路）に対応するであろう。
【００４９】
ブロック３５０は、ブロック３４０からの入力とブロック３５５への出力を有する論理バッファを使用して実現可能である。
【００５０】
ブロック３５５は、２つのＮＡＮＤゲートと論理インバータで実現可能である。例えば、ブロック３５５の“Ｙｅｓ”出力が論理インバータの入力に接続され、論理インバータの出力が論理ＮＡＮＤゲートの第１の入力に接続され、ブロック３２０の出力が論理ＮＡＮＤゲートの第２の入力に接続され、論理ＮＡＮＤゲートの出力がブロック３６０に接続される。
【００５１】
障害状態レジスタ３６５は、図に示すようにＳＥＴ入力とＣＬＥＡＲ入力を有するＳＲフリップフロップを用いて実現可能である。
【００５２】
他の実施例では、図３で説明された技術は、命令、論理、実行可能なコード等のソフトウエアを介して実現可能である。
【００５３】
さらに他の実施例では、図３で説明された技術は、ファームウエアを介して実現可能である。
【００５４】
さらに他の実施例では、図３で説明された技術は、ハードウエア、ソフトウエア、および／またはファームウエアの組合せを介して実現可能である。
【００５５】
このように、本実施例によれば、信号プロセッサ１４０は、信号ソース３１０により生成された信号３１２を監視するように構成される。信号３１２および／または信号３２２に関連する障害状態の検出に応答して、信号プロセッサ１４０の障害状態インジケータ回路３３０は、障害状態インジケータ信号３６８をセットして検出された障害状態の発生を示させる。障害状態レジスタ３６５から受け取った障害状態インジケータ信号３６８に基づき、障害状態インジケータ回路３３０は、検出された障害状態の発生を示すように少なくとも所定の合計時間の間、障害状態インジケータ信号３６８の状態をラッチしまたはセットする。
【００５６】
少なくとも所定の合計時間の間、障害状態インジケータ信号３６８をセットして信号ソース３１０により生成された信号３１２に関する検出された障害状態の発生を示した後に、障害状態インジケータ回路３６８は、再び、信号３２２の健全性を監視する。ある実施例では、所定の合計時間の後に監視された信号３２２に関する障害がもはや存在しないことが検出されたことに応答して、障害状態インジケータ回路３３０は、障害状態インジケータ信号３６８を変更し、障害状態が存在しないことを示す。
【００５７】
さらなる実施例によれば、障害状態インジケータ信号３６８のセットの所定の合計時間（例えば、最小時間値Ｘ）は、センサ信号がダウンストリームのリソース３９０へ向けて通過するローパスフィルター３８０の時定数（例えば、−３ｄＢの減衰を生じさせる）、タウに基づくことが可能である。
【００５８】
ある実施例では、所定期間は、時定数タウの４倍よりも大きい。より具体的な実施例では、障害状態（一旦、有効であると確認されて）をラッチする最小期間は、４．６＊タウであり、ここで、タウは、ローパスフィルター３８０の時定数である。
【００５９】
さらなる実施例によれば、障害状態を示すために障害状態インジケータ信号３６８をラッチする最小期間は、多くのパラメータ（例えば、システムのサンプリングする周期性、出力信号範囲の許容範囲）に依存することができる。障害状態をラッチする最小期間Ｘは、ダウンストリームのリソース３９０が有効な障害信号を検出することを保証するように選択され得る。
【００６０】
上記したように、本実施例による信号プロセッサ１４０は、出力信号発生器３７５を含むことができる。出力信号発生器３７５は、信号ソース３１０により生成された信号３１２または３２２および障害状態インジケータ信号３６８に基づき信号３７６を発生する。ある実施例では、出力信号発生器３７５は、障害状態が検出されないとき、信号３１２または信号３２２を概ね追跡するように信号３７６の大きさを変更しまたは調整する。上記したように、出力信号発生器３７５は、ローパスフィルター３８０を介して下流のリソース３９０に信号３７６を伝える。
【００６１】
障害状態インジケータ信号３６８が少なくとも所定期間Ｘ、検出された障害状態を示す時間の間、出力信号発生器３７５は、出力信号３７６の大きさを障害バンド（例えば、０．９６＊Ｖpwrと１．０＊Ｖpwr間の電圧範囲）内になるようにセットし、エラー状態を示す。ある実施例では、出力信号発生器３７５は、信号３７６を実質的に信号３２２を追跡するようにセットすることに代えて、信号３７６を障害バンド範囲内にセットすることを中止する。
【００６２】
本実施例では、出力信号発生器３７５がローパスフィルターに入力される信号３７６を少なくとも所定期間だけ障害バンドにセットするため、ダウンストリームのリソース３９０は、信号ソース３１０に関する障害状態の通知を保証される。ある実施例では、ダウンストリームのリソース３９０は、エラー状態の発生を検出するべく、十分の高いレートで信号３８６をサンプリングする。信号３７６の大きさを０．９６＊Ｖpwrのようなしきい値を越える値にしきい値の合計時間（例えば、最小期間）のラッチにより、ダウンストリームのリソース３９０はエラー状態を検出することが確実に保証される。
【００６３】
さらなる実施例では、信号３６８の大きさのセットは、信号３６８の大きさをローパスフィルター３８０の時定数の少なくとも４倍よりも長い間、障害バンド内になるようにセットすることを含み、ダウンストリームのリソース３９０に障害状態が検出されたことを通知する。
【００６４】
さらなる実施例では、上記したように、信号プロセッサ１４０は、信号ソース３１０により生成された信号３１２または信号３２２（またはトランスデューサーのようなソースから受け取った信号の処理されたバージョン）をローパスフィルター３８０に入力することを含む。ローパスフィルター３８０の回路の出力は、ローパスフィルター処理されたバージョンの信号をダウンストリームのリソース３９０に出力するように構成され得る。また、上記したように、信号プロセッサ１４０は、ローパスフィルター３８０の回路に入力される信号３７６の大きさを少なくとも所定の期間、障害電圧範囲内になるように変更するように構成することができ、検出された障害状態のダウンストリームのリソースへの通知を確実にする。言い換えれば、センサ（例えば、信号ソース３１０）の出力電圧（例えば、信号３１２）の実際のエラーが所定の時間期間よりも少ない間で発生したとしても、システムは、ローパスフィルター３８０に入力される信号３７６の大きさを少なくとも所定期間の間、障害範囲内になるように変更し、その結果、ローパスフィルター３８０の出力信号３８６の大きさは、少なくとも少しの間、障害状態が発生したことを示す。
【００６５】
さらなる実施例では、信号プロセッサ１４０は、障害状態が発生したか否かを決定するための一組のルール（規則）を適用する障害検出回路を含むことができることに留意すべきである。すなわち、ある実施例では、信号プロセッサ１４０および／または障害状態インジケータ回路３３０は、受け取った信号の健全性を検証するための１組のルールを適用する。他の実施例は、他の信号（例えば、信号３１２、信号３２２等以外の信号）の属性を監視することを含むことができ、これは、受け取った信号に関する健全性のレベルを示す。その後、信号の検証が、障害状態があることを示すのに失敗したとしても、システムは、障害状態の通知をダウンストリームのリソースに提供する。
【００６６】
さらなる実施例では、信号プロセッサ１４０は、障害状態の検出がない場合に、出力信号３８６の大きさを信号３１２、３２２などの受け取った信号の大きさと実質的に等しくなるようにセットすることにより、ローパスフィルター３８０に入力される信号３７６を生成する。上記したように、受け取った信号３１２の大きさは、監視されている信号を生成する各センサ装置により検出された環境状態に依存して変更することができる。障害状態の間、信号プロセッサ１４０は、出力信号３８６の大きさを少なくとも所定の期間、受け取った信号の大きさと実質的に異なるように調整し、フィルターを介してダウンストリームのリソース３９０への障害状態の通知を保証する。ある例として、ブロック３２５は、信号３２２に関する障害状態を検出することができ、それからエラーを示すように障害状態レジスタ３６５をトリガーする。監視された信号３２２は、タイマー３４５のタイムアウト前に再び健全になるかもしれない。しかしながら、出力信号発生器３７５は、たとえ監視された信号３２２が正確に現在の状態を表すような健全なものに再びなったとしても、エラー状態を示す障害バンド内の信号３７６を生成する。このような条件のもと、信号プロセッサ１４０は、たとえ所定期間の終了前に受け取った信号に関する障害状態が終わったとしても、出力信号３７６の大きさを、所定期間の少なくとも一部の間、受け取った信号３２２の大きさと実質的に異なるように調整する。言い換えれば、所定期間の間または障害状態インジケータ回路３３０により示されるような障害状態のラッチの間、技術的に、障害状態は、もはや存在しないかもしれない。そのようなときに、信号プロセッサ１４０の出力信号発生器３７５は、たとえ受け取った信号３２２が再び正確であったとしても、ローパスフィルター３８０に入力される出力信号３７６の大きさを障害レンジ内になるようにセットをし続ける。このように、受け取った信号３２２は、システムによって生成された出力信号が異なる大きさ（すなわち、障害バンド内）である間、ある大きさを示すことがあり得る。
【００６７】
図４は、本実施例における信号ソース３１０のようなセンサ装置の名目上または公称の出力信号の範囲と障害バンドの例を示す図である。同図に示すように、センサ装置の出力電圧（例えば、３１２）は、公称の最大刺激（stimulus）より上で、最小クランプレベルと最大クランプレベルの間の大きさにクランプする。上記したように、センサ（例えば信号ソース３１０）が障害状態を検出したとき、センサは、最小障害レベルと最大障害レベルにより定義された範囲内になるようにセンサ装置の出力電圧を生成する。ある実施例では、この範囲は、障害しきい値（例えば、０．９６＊Ｖpwrより上）よりも大きな電圧として定義される。
【００６８】
図５は、本実施例における障害状態のラッチを例示するタイミング図である。概して、出力信号発生器３７５は、時間Ｔ５１まで、および時間Ｔ５３後、信号３１２をトラックするように信号３７６を生成する。図の５００に示されるように、信号ソース３１０が各しきい値よりも大きい出力を生成するとき、エラーまたは障害状態が時間Ｔ５１で発生する。エラー状態の発生に応答して、出力信号発生器３７５は、時間Ｔ５１と時間Ｔ５３の間で、信号３７６の大きさをしきい値より上（エラー状態を示すため）に維持する。時間Ｔ５３の後、信号３１２は、もはや障害状態を満足せず、かつ所定の時間が経過したので、出力信号発生器３７５は、再び、信号３１２と実質的に等しくなる信号３７６を発生する。
【００６９】
図６は、本実施例におけるコンピュータ処理を提供するコンピュータシステム６００のブロック図の例である。上記したように、ここに述べたいずれのまたはすべての技術は、図示されるようなコンピュータシステム６００、ソフトウエア、ハードウエア、ファームウエアなどのようなリソースにより実行可能であることに再度留意すべきである。
【００７０】
以下の説明は、上記した信号プロセッサシステム１４０に関する機能性をどのように実行するかを示す基本的な実施例を提供することに留意すべきである。しかしながら、ここに述べられるような動作を実行するための実際の構成は、各アプリケーションに基づき変更することができることに留意すべきである。信号プロセッサ１４０のいずれかのまたはすべての部分は、コンピュータシステム６００および対応するリソースを介して実行することが可能である。
【００７１】
図に示すように、本実施例のコンピュータシステム６００は、デジタル情報が蓄積可能でありかつ取り出し可能な、コンピュータによる読取り可能な蓄積媒体（ストレージメディア）６１２、例えば、一時的でないタイプのメディア、コンピュータ読取り可能なハードウエアの蓄積媒体などを結合する相互接続７１１を含む。コンピュータシステム６００はさらに、プロセッサ６１３、Ｉ／Ｏインターフェース６１４、およびコミュニケーションインターフェース６１７を含むことができる。
【００７２】
Ｉ／Ｏインターフェース６１４は、貯蔵１８０への接続を提供し、さらにここでは、ディスプレイスクリーン、キーボードやコンピュータマウス等のような周辺装置６１６への接続も提供する。
【００７３】
コンピュータ読取り可能な蓄積媒体６１２（例えば、ハードウエア蓄積媒体）は、いかなる適切な装置および／またはメモリ、光学蓄積、ハードドライブ、フロッピーディスク等のハードウエアであることができる。コンピュータ読取り可能な蓄積媒体は、信号プロセッサアプリケーション１４０−１に関する命令を蓄積する不揮発性の蓄積媒体であることができる。命令は、信号プロセッサ１４０のような各リソースにより実行され、ここで述べられたようないずれの動作を実施する。
【００７４】
コミュニケーションインターフェース６１７は、コンピュータシステム６００がネットワーク１９０と連絡することを可能にし、遠隔のソースから情報を抽出し、他のコンピュータ、スイッチ、クライアント、サーバーなどと連絡する。Ｉ／Ｏインターフェース６１４もまた、プロセッサ６１３が貯蔵１８０から蓄積された情報を抽出したり、抽出の試みを行うことを可能にする。
【００７５】
図に示すように、コンピュータ読取り可能な蓄積媒体６１２は、信号プロセッサ処理１４０−２のようなプロセッサ６１３により実行されるネットワークアプリケーション１４０−１で符号化されることができる。
【００７６】
ある実施例では、コンピュータシステム６００は、データおよび／またはロジック命令を蓄積するコンピュータ読取り可能な蓄積媒体（例えば、ハードウエア、非一時的なメディア）を含むように具現化され得る。コンピュータシステム６００は、そのような命令を実行したりここで述べられるネットワークマネジメント動作を実行するためのプロセッサを含むことができる。従って、命令が実行されたとき、信号プロセッサアプリケーション１４０−１に関するコードは、ここで述べられる、データパケットの転送のような機能性の処理、コントロールプレーンパケットの処理などをサポートすることができる。
【００７７】
ある実施例の動作中に、プロセッサ６１３は、コンピュータ読出し可能な蓄積媒体６１２に蓄積された信号プロセッサアプリケーション１４０−１の命令をラウンチ、ラン、実行、解読、あるいは他の実施するため、コンピュータ読出し可能な蓄積媒体６１２を相互接続６１１の使用を介してアクセスする。信号プロセッサアプリケーション１４０−１の実行は、プロセッサ６１３の機能性の処理を生成する。換言すれば、プロセッサ６１３に関する信号プロセッサプロセス１４０−２は、コンピュータシステム６００のプロセッサ６１３に関するまたはその内部の信号プロセッサアプリケーション１４０−１の実行の１つもそくはそれ以上の態様を表す。
【００７８】
当業者は、コンピュータシステム６００が他のプロセスおよび／またはソフトウエアおよびハードウエアコンポーネント、例えば、信号プロセッサアプリケーション１４０−１を実行するためのリソースを処理するハードウエアの使用やアロケーションを制御するオペレーティングシステムを含むことができることを理解する。
【００７９】
他の実施例では、コンピュータシステムは、これに限定されないが、パーソナルコンピュータシステム、デスクトップコンピュータ、ラップトップやノートブックコンピュータ、メインフレームコンピュータシステム、ハンドヘルドコンピュータ、ワークステーション、ネットワークコンピュータ、アプリケーションサーバー、蓄積装置、カメラのようなコンシューマー電子部品、カムコーダー、セットトップボックス、モバイル装置、ビデオゲームコンソール、ハンドヘルドビデオゲーム装置、スイッチのような周辺装置、モデム、ルーター、あるいは他のコンピュータ若しくは電子装置等を含む種々のタイプの装置であることができることに留意すべきである。
【００８０】
信号プロセッサ１４０のコンポーネントによりサポートされる機能性は、図７ないし８のフローチャートを介して説明される。上記したように、各スイッチおよび／または他のハードウエアにより実行される信号プロセッサアプリケーション１４０−１は、以下に述べるようなフローチャートのステップを実行するように構成されることができる。
【００８１】
上記の図１ないし図６で述べた概念といくつか重複するものがあることに留意すべきである。また、フローチャートのステップは、必ずしも、図に示された順序で実行される必要がないことに留意すべきである。ステップは、いかなる適切な順序で実行され得る。
【００８２】
図７は、本実施例による信号処理の方法を例示するフローチャート７００である。
【００８３】
ステップ７１０において、信号プロセッサ１４０は、センサ装置からの信号を監視する。
【００８４】
ステップ７２０において、受け取った信号に関連する障害状態を検出することに応答して、信号プロセッサ１４０は、障害状態インジケータをセットし、検出された障害状態を示す。
【００８５】
ステップ７３０において、信号プロセッサ１４０は、少なくとも所定の期間、障害状態インジケータの状態をセットし、検出された障害状態の発生を示させる。
【００８６】
ステップ７４０において、少なくとも所定の期間、検出された障害状態の発生を示すように障害状態インジケータをセットした後、信号プロセッサ１４０は、センサ装置により生成される信号の監視を継続する。監視された信号に関する障害がもはや存在しないことを検出したことに応答して、信号プロセッサ１４０は、障害状態が存在しないことを示すように障害状態インジケータを変更する。
【００８７】
図８は、本実施例による信号処理の方法を例示するフローチャートである。
【００８８】
ステップ８１０において、信号プロセッサ１４０は、センサからの信号を受け取る。受け取った信号の大きさは、信号を生成するセンサ装置により検出された環境状態に依存して変化する。
【００８９】
ステップ８２０において、信号プロセッサ１４０は、受け取った信号を処理し出力信号を生成する。
【００９０】
ステップ８３０において、信号プロセッサ１４０は、出力信号を遠隔のリソースに伝達し、センサ装置により検出された環境状態を遠隔のリソースに通知する。
【００９１】
ステップ８４０において、受け取った信号に関する障害状態の発生の検出に応答して、信号プロセッサ１４０は、受け取った信号と実質的に異なるように伝送された出力信号の大きさを変更し、障害状態を遠隔のリソースに通知する。
【００９２】
ここでの技術は、多数の種類のタイプの信号のいずれの処理処理において使用に適していることに留意すべきである。しかしながら、ここでの実施例は、このようなアプリケーションにおける使用に制限されるものではなく、ここで述べられる技術は、他のアプリケーションにも同様に非常に適していることに留意すべきである。
【００９３】
ここで述べる記載に基づき、多数の具体的な詳細が述べられ、請求項に記載の主題の完全な理解が提供される。しかしながら、請求項に記載の主題は、これらの具体的な詳細がなくても実施されることができることが当業者により理解されよう。他の例、方法、装置、システムなど、当業者により公知であり得るものは、請求項に記載の主題を不明瞭にしないようにするため詳細に記載されていない。詳細な記載のある部分は、メモリのようなコンピュータデータ蓄積のような計算システムのメモリ内に蓄積されたデータビットまたはバイナリデジタル信号に関する動作の象徴的な代表またはアルゴリズムに関して提示されてきた。これらのアルゴリズムの記載または代表は、作業の実態を他の熟練された技術へ搬送するようなデータ処理分野において当業者により使用される技術の例である。ここに述べられたアルゴリズムは、概して、動作の自己整合するシーケンスまたは所望の結果になる類似の処理であるようにみなされる。この文脈では、動作または処理は、物理的な量の物理的な操作を含む。典型的に、必ずしも必要ではないけれども、このような量は、蓄積、伝送、結合、比較または他の操作をすることができる電気的または磁気的な信号の形態をとることができる。ビット、データ、値、エレメント、シンボル、キャラクター、ターム、数、数字、またはそれと同様のものとしてそのような信号を参照することは、ときに、主に共通の使用の理由において便利であることを証明した。しかしながら、これらのおよび同様の用語のすべては、適切な物理的な量に関連され、単に便利なラベルであることが理解されよう。具体的に述べられないならば、次の記載から明らかなように、メモリ、レジスタ、または他の情報蓄積装置、伝送装置、またはコンピューティングプラットフォームのディスプレイ装置内の物理的な電子的または磁気的な量として表されるデータを操作しまたは変形する、コンピュータや類似の電子コンピューティング装置のようなコンピューティングプラットフォームの動作や処理を参照する、“処理”、“コンピューティング”、“計算”、“決定”、またはその他の用語を利用する明細書の記載全体から理解されよう。
【００９４】
本発明は、具体的に示され、好ましい実施例を参照して説明されたが、当業者であれば、形態や詳細の種々の変更は、特許請求の範囲により規定されるような本出願の精神および範囲から逸脱することなく成し得ることが理解されよう。そのような変更は、ｈン出願の範囲よってカバーされることが意図されている。このように、本出願の上記の実施例の記載は、限定されることを意図されるものではない。むしろ、本発明に対するいかなる限定は、特許請求の範囲において提示される。
【図１】
2012239170.tif 000003
【図２】
2012239170.tif 000004
【図３】
2012239170.tif 000005
【図４】
2012239170.tif 000006
【図５】
2012239170.tif 000007
【図６】
2012239170.tif 000008
【図７】
2012239170.tif 000009
【図８】
2012239170.tif 000010